(57)【特許請求の範囲】
【請求項１】
第１の主面と該第１の主面に対向する第２の主面とを有する基材層と、
前記基材層の前記第１の主面上に設けられた粘着材層と、を具備し、
前記基材層が、前記第２の主面から前記第１の主面に貫通して刃線状でなく幅を有してかつ外縁に達しないように設けられた、該基材層を前記外縁から剥がし進めたとき該基材層の剥がれを遮断させる切れ目を有していること
を特徴とするラベル。
【請求項２】
前記基材層の前記切れ目が、不連続部を含んだ線状である鎖線状または破線状に形成されていることを特徴とする請求項１記載のラベル。
【請求項３】
前記基材層が、前記第２の主面から前記第１の主面に貫通したカット部と貫通しないアンカット部とが交互に連なる易破断性部位であるミシン目をさらに有して、該ミシン目が前記外縁に達するように形成されていることを特徴とする請求項１記載のラベル。
【請求項４】
第１の主面と該第１の主面に対向する第２の主面とを有し、該第１の主面上および／または該第２の主面上にアンテナパターンを層状に備えたシート状絶縁基材と、
前記アンテナパターンに接続して前記シート状絶縁基材上に設けられた、データを格納可能なＩＣチップと、
前記シート状絶縁基材の前記第１の主面上に設けられた粘着材層と、を具備し、
前記シート状絶縁基材が、前記第２の主面から前記第１の主面に貫通して刃線状でなく幅を有してかつ外縁に達することなくかつ前記アンテナパターンを避けるように形成された、該シート状絶縁基材を前記外縁から剥がし進めたとき該シート状絶縁基材の剥がれを遮断させる切れ目を有していること
を特徴とするシート状非接触データキャリア。
【請求項５】
前記シート状絶縁基材に形成された前記切れ目が、不連続部を含んだ線状である鎖線状または破線状に形成されていることを特徴とする請求項４記載のシート状非接触データキャリア。
【請求項６】
前記シート状絶縁基材が、前記第２の主面から前記第１の主面に貫通したカット部と貫通しないアンカット部とが交互に連なる易破断性部位であるミシン目をさらに有して、該ミシン目が前記外縁に達するように形成されており、該カット部と該アンカット部との繰り返しピッチが前記アンテナパターンの幅よりも小さいことを特徴とする請求項４記載のシート状非接触データキャリア。
【請求項７】
前記シート状絶縁基材に形成された前記切れ目が、前記アンテナパターンより該シート状絶縁基材の前記外縁の側に形成されていることを特徴とする請求項４記載のシート状非接触データキャリア。
【請求項８】
前記シート状絶縁基材が備える前記アンテナパターンが、ループ状の形状で形成されており、
前記シート状絶縁基材に形成された前記切れ目が、前記アンテナパターンに囲まれた前記シート状絶縁基材の領域に形成されていること
を特徴とする請求項４記載のシート状非接触データキャリア。
【請求項９】
前記シート状絶縁基材が備える前記アンテナパターンが、互いに並行するパターンを含んでおり、
前記シート状絶縁基材に形成された前記切れ目が、該シート状絶縁基材の前記互いに並行するパターンの間に形成されていること
を特徴とする請求項４記載のシート状非接触データキャリア。
【請求項１０】
前記シート状絶縁基材が、
前記第１の主面上または前記第２の主面上であって前記アンテナパターンより該シート状絶縁基材の前記外縁の側に断線検出パターンを層状にさらに備え、
前記第２の主面から前記第１の主面に貫通したカット部と貫通しないアンカット部とが交互に連なる易破断性部位であるミシン目をさらに有して、該ミシン目が前記外縁に達して前記断線検出パターンの領域に形成されており、
前記ミシン目の前記カット部と前記アンカット部との繰り返しピッチが、前記断線検出パターンの幅より小さくされ、
前記シート状絶縁基材の前記切れ目が、前記断線検出パターンをも避けた位置に形成されており、
前記ＩＣチップが、前記断線検出パターンに接続していること
を特徴とする請求項４記載のシート状非接触データキャリア。
【請求項１１】
前記シート状絶縁基材の前記切れ目が、該シート状絶縁基材の前記断線検出パターンと前記アンテナパターンとの間に形成されていることを特徴とする請求項１０記載のシート状非接触データキャリア。
【請求項１２】
前記シート状絶縁基材が有する前記ミシン目が、前記アンテナパターンを避けた位置に形成されていることを特徴とする請求項１０記載のシート状非接触データキャリア。
【発明の詳細な説明】
【技術分野】
【０００１】
本発明は、形状としてシート状に構成されたラベルおよびシート状非接触データキャリアに係り、特に、貼付された状態から不正に剥がされるのを抑止するのに適するラベルおよびシート状非接触データキャリアに関する。
【背景技術】
【０００２】
ラベルおよびシート状非接触データキャリアは、いずれも物品のタグ情報のキャリアとして用いることができる。それらは容易に可撓性を持たせ得るので、例えば、物品を管理する目的などのためその物品に貼り付けて使用する場合に向いている。一般に、正規に貼り付けられたラベルやシート状非接触データキャリアは、貼り付けられた物品の真正性を表示するものとして扱われている。しかしながら、そのような性質から、逆に、不正に剥がされて別のラベルやシート状非接触データキャリアに貼り替えられてしまう事態や、剥がされたものが別の物品に不正に貼り付けられてしまう状況も発生している。
【０００３】
このような事態を想定し、実際に剥がされる場面に遭遇したシート状非接触データキャリアを容易に見分けることができるようにしたものの例に、下記特開２００６-３９６４３号公報に記載のものがある。同文献のものは、シートの外縁近くに易破断性の回路パターンを設け、シートが剥がされるときこの回路パターンが容易に破断することを利用して、その後、回路パターンが電気的に開放状態となっていることをデータキャリア用のＩＣを援用し検出することで不正な工作をしたまたは試みたことを見分けることができる。
【０００４】
しかしながら、剥がす工作がある程度の力の引っ張りによりなされる場合は回路パターンが容易に破断するものの、粘着材を薬品により変質しつつ剥がす場合にはそもそもほとんど力を要しない。よって、意図通りの回路パターンの破断が生じないこともあり得、そのような場合にまで対応してはいないと言える。
【特許文献１】特開２００６−３９６４３号公報
【発明の開示】
【発明が解決しようとする課題】
【０００５】
本発明は、上記の事情を考慮してなされたもので、形状としてシート状に構成されたラベルおよびシート状非接触データキャリアにおいて、貼付された状態から不正に剥がされるのを一層抑止することが可能なラベルおよびシート状非接触データキャリアを提供することを目的とする。
【課題を解決するための手段】
【０００６】
上記の課題を解決するため、本発明の一態様であるラベルは、第１の主面と該第１の主面に対向する第２の主面とを有する基材層と、前記基材層の前記第１の主面上に設けられた粘着材層と、を具備し、前記基材層が、前記第２の主面から前記第１の主面に貫通して刃線状でなく幅を有してかつ外縁に達しないように設けられた、該基材層を前記外縁から剥がし進めたとき該基材層の剥がれを遮断させる切れ目を有していることを特徴とする。
【０００７】
すなわち、このラベルは、基材層と粘着材層とを有して、基材層にはこれを貫通して切れ目が形成されている。切れ目は基材層の外縁に達していないようにする。このようなラベルでは、切れ目が現れていない外縁をわずかに剥離してからこれを剥がし進めようとしたとき、剥がれが切れ目に達するとその切れ目によってそれ以上の剥離が一旦遮断される効果がある。したがって、さらに剥がそうとする場合には再度同じように工作をする必要があり、不正に剥がされるのをより抑止できる。また、切れ目が、幅を有する切れ目であるため、剥がすための工作として薄片をラベルの外縁からラベル下の挿入した場合に、その挿入を切れ目で遮断する効果もある。よって、不正な剥がしをさらに抑止できる。これは、シート状非接触データキャリアでも同様である。
【０００８】
また、本発明の別の態様であるシート状非接触データキャリアは、第１の主面と該第１の主面に対向する第２の主面とを有し、該第１の主面上および／または該第２の主面上にアンテナパターンを層状に備えたシート状絶縁基材と、前記アンテナパターンに接続して前記シート状絶縁基材上に設けられた、データを格納可能なＩＣチップと、前記シート状絶縁基材の前記第１の主面上に設けられた粘着材層と、を具備し、前記シート状絶縁基材が、前記第２の主面から前記第１の主面に貫通して刃線状でなく幅を有してかつ外縁に達することなくかつ前記アンテナパターンを避けるように形成された、該シート状絶縁基材を前記外縁から剥がし進めたとき該シート状絶縁基材の剥がれを遮断させる切れ目を有していることを特徴とする。
【０００９】
すなわち、このシート状非接触データキャリアは、シート状絶縁基材と粘着材層とを有して、シート状絶縁基材にはこれを貫通して切れ目が形成されている。切れ目はシート状絶縁基材の外縁に達していないようにする。このようなシート状絶縁基材では、切れ目が現れていない外縁をわずかに剥離してからこれを剥がし進めようとしたとき、剥がれが切れ目に達するとその切れ目によってそれ以上の剥離が一旦遮断される効果がある。したがって、さらに剥がそうとする場合には再度同じように工作をする必要があり、不正に剥がされるのをより抑止できる。
【発明の効果】
【００１０】
本発明によれば、形状としてシート状に構成されたラベルおよびシート状非接触データキャリアにおいて、貼付された状態から不正に剥がされるのを一層抑止することができる。
【発明を実施するための最良の形態】
【００１１】
ラベルとしての実施態様として、前記基材層の前記切れ目が、不連続部を含んだ線状である鎖線状または破線状に形成されている、とすることができる。鎖線状または破線状に切れ目を形成すれば、ラベルを貼り付けるときの取り扱いがより容易になる。すなわち、切れ目が鎖線状または破線状でない場合には、切れ目によりラベルの状態にばらけが生じ、貼り付け作業に困難が発生する。なお、シート状非接触データキャリアでも同様の実施態様にすることができる。
【００１３】
また、ラベルとしての実施態様として、前記基材層が、前記第２の主面から前記第１の主面に貫通したカット部と貫通しないアンカット部とが交互に連なる易破断性部位であるミシン目をさらに有して、該ミシン目が前記外縁に達するように形成されている、とすることができる。ミシン目により基材層を脆弱にし、外的な引っ張り力などの力により容易にミシン目で基材層が破断する効果を加えたものである。なお、シート状非接触データキャリアでも同様の実施態様にすることができる。
【００１４】
また、シート状非接触データキャリアとしての実施態様として、前記シート状絶縁基材に形成された前記切れ目が、前記アンテナパターンより該シート状絶縁基材の前記外縁の側に形成されている、とすることができる。切れ目をアンテナパターンの位置と干渉しないように設けるための一方策である。
【００１５】
また、実施態様として、前記シート状絶縁基材が備える前記アンテナパターンが、ループ状の形状で形成されており、前記シート状絶縁基材に形成された前記切れ目が、前記アンテナパターンに囲まれた前記シート状絶縁基材の領域に形成されている、とすることができる。これも、切れ目をアンテナパターンの位置と干渉しないように設けるための一方策である。
【００１６】
また、実施態様として、前記シート状絶縁基材が備える前記アンテナパターンが、互いに並行するパターンを含んでおり、前記シート状絶縁基材に形成された前記切れ目が、該シート状絶縁基材の前記互いに並行するパターンの間に形成されている、とすることができる。これも、切れ目をアンテナパターンの位置と干渉しないように設けるための一方策である。
【００１７】
また、実施態様として、前記シート状絶縁基材が、前記第１の主面上または前記第２の主面上であって前記アンテナパターンより該シート状絶縁基材の前記外縁の側に断線検出パターンを層状にさらに備え、前記第２の主面から前記第１の主面に貫通したカット部と貫通しないアンカット部とが交互に連なる易破断性部位であるミシン目をさらに有して、該ミシン目が前記外縁に達して前記断線検出パターンの領域に形成されており、前記ミシン目の前記カット部と前記アンカット部との繰り返しピッチが、前記断線検出パターンの幅より小さくされ、前記シート状絶縁基材の前記切れ目が、前記断線検出パターンをも避けた位置に形成されており、前記ＩＣチップが、前記断線検出パターンに接続している、とすることができる。断線検出パターンおよびこれを含んでミシン目の貫通形成をしておくことで、シート状絶縁基材が剥がされるときこの断線検出パターンがミシン目で容易に破断する効果を加えたものである。これによれば、その後、断線検出パターンが電気的に開放状態となっていることを、ＩＣチップを援用し検出することで、不正な工作をしたまたは試みたことを目視ではなく電気的に見分けることができる。
【００１８】
ここで、前記シート状絶縁基材の前記切れ目が、該シート状絶縁基材の前記断線検出パターンと前記アンテナパターンとの間に形成されている、とすることができる。これによれば、アンテナパターンの部分はより剥がされにくく、アンテナパターンの部分を利用する電気的な不正の発見の機能をより保全できる。
【００１９】
また、ここで、前記シート状絶縁基材が有する前記ミシン目が、前記アンテナパターンを避けた位置に形成されている、とすることができる。これによれば、アンテナパターンの部分のミシン目による破断は起こらないので、アンテナパターンの部分を利用する電気的な不正の発見の機能をより保全できる。
【００２０】
以上を踏まえ、以下では本発明の実施形態を図面を参照しながら説明する。図１は、本発明の一実施形態に係るラベルを示す平面図（図１（ａ））および断面図（図１（ｂ））である。ここで、図１（ｂ）は、図１（ａ）中のＡ−Ａａ位置における矢視方向断面を示す。このラベル１０は、図１に示すように、基材層１１、粘着材層１２を有し、基材層１１には、切れ目１１ａ、１１ｂ、１１ｃ、１１ｄ、１１ｅ、１１ｆが形成されている。
【００２１】
基材層１１は、例えばＰＥＴ（ポリエチレンテレフタレート）やＰＩ（ポリイミド）などの可撓性を有する樹脂の層である。可撓性により、物品に貼り付けて使用する場合に、その表面にある程度の曲率がある場合にもなじみ、使い勝手がよい。基材層１１として可撓性を有する各種の紙素材を使用することもできる。基材層１１の厚さは、例えば１０μｍから２００μｍ（より具体的には例えば４０μｍ程度）とすることができる。
【００２２】
基材層１１の片面（一方の主面）には、物品に貼り付けるための粘着材層１２が設けられている。粘着材層１２の厚さは、例えば１０μｍから１００μｍ（より具体的には例えば３０μｍ程度）とすることができる。基材層１１の別の片面（他方の主面）は、このラベル１０の被印字領域として使用することができる。
【００２３】
基材層１１には、両主面間を貫通する切れ目１１ａ、１１ｂ、１１ｃ、１１ｄ、１１ｅ、１１ｆが形成されている。これらの切れ目１１ａ等は、基材層１１の外縁には達していない。好ましい形成位置としては、基材層１１の中心からやや外縁の側に寄った位置が挙げられる。図示するように、基材層１１の角に沿う形状（かぎ形状）や、角をショートカットするような直線状、基材層１１の辺に沿う直線状などがより具体的な好ましい例である。
【００２４】
このラベル１０は、物品に貼り付けられた状態において次の効果を有する。すなわち、基材層１１に切れ目１１ａ等があるので、ラベル１０の、切れ目１１ａ等が現れていない外縁をわずかに剥離し、その状態から薬品を用い粘着材層１２を変質しつつ剥がし進めようとしたとき、剥がれが切れ目１１ａ等に達するとそこでそれ以上の剥離が一旦遮断される。したがって、さらに剥がそうとする場合には再度同じように初期の剥離工作をする必要があり、不正に剥がされるのをより抑止できる。この効果を増すため、基材層１１の外縁の側から中心の側に向かって多重的に複数の切れ目を設けるようにしてもよい。
【００２５】
次に、図２は、本発明の別の実施形態に係るラベルを示す平面図である。このラベル１５は、図示するように、基材層１６に切れ目１６ａ、１６ｂが形成され、これらの切れ目１６ａ、１６ｂが鎖線状または破線状になっている（不連続部１６ｃを有する）点が図１に示した形態と異なる。なお、断面図は図１と同様になるので省略する。
【００２６】
このラベル１５では、切れ目１６ａ、１６ｂが長いにもかかわらず不連続部１６ｃを有するため、このラベル１５を貼り付けるときの取り扱いが容易になる。すなわち、不連続部１６ｃがない場合には、貼り付ける前の状態として各領域でたわみが一定でなくばらけた状態になるので物品への貼り付けでしわが生じたり各領域でずれや折れ曲がりが生じたりしやすい。切れ目１６ａ、１６ｂに不連続部１６ｃを設ければ、このような不都合を効果的に除去できる。なお当然ながら、図１に示した実施形態で説明した剥離抑止効果は引き継がれている。
【００２７】
次に、図３は、本発明のさらに別の実施形態に係るラベルを示す平面図である。なお、断面図は図１と同様になるので省略する。このラベル２０も、上述の図２に示した実施形態と同様の効果を有する。すなわち、基材層２１に切れ目２１ａが形成され、切れ目２１ａが鎖線状または破線状になっている（不連続部２１ｃを有する）。よって、物品への貼り付けでしわが生じたり各領域でずれが生じたりするような不都合を効果的に除去できる。なお、図３に示すように切れ目２１ａを基材層２１の外縁に沿って周回に近く設ければ、不正な剥離が外縁のどの地点から行われた場合にも一定した効果を得る利点がある。
【００２８】
次に、図４は、本発明のさらに別の実施形態に係るラベルを示す平面図である。なお、断面図は図１と同様になるので省略する。このラベル２５は、図示するように、基材層２６に切れ目２６ａが形成され、切れ目２６ａが鎖線状または破線状になっている（不連続部２６ｃを有する）。この点は図３に示した実施形態と同じであるが、切れ目２６ａがある程度の幅を有する点で異なっている。なお、不連続部２６ｃの効用はすでに述べた実施形態における不連続部による効用と同様である。
【００２９】
このラベル２５では、粘着材層に薬品が適用されて剥がし進められる場合だけでなく、薄片がラベル２５の下に挿入されて剥がし進められる場合も想定して対策している。すなわち、切れ目２６ａに幅があるので、薄片がラベル２５の外縁の側から挿入された場合に、切れ目２６ａでそれ以上の挿入を幅のない切れ目の場合より確実に遮断することができる。したがって、不正な剥離をより抑止できる。
【００３０】
次に、図５は、本発明のさらに別の実施形態に係るラベルを示す平面図である。断面図は、図１と同様になるので省略する。また、すでに説明した構成要素と同じまたは対応するものには同一符号を付している。
【００３１】
このラベル３０は、図３に示したラベル２０の構成を基本として、さらに、基材層２１にミシン目２１ｄを形成したものである。ミシン目２１ｄは、カット部とアンカット部とが交互に連なる易破断性部位であり、カット部／アンカット部の各長さは、例えば０．２５ｍｍ／０．１５ｍｍ、あるいは０．３５ｍｍ／０．１５ｍｍなどとすることができる。カット部は基材層２１の両主面間を貫通している。ミシン目２１ｄの形成パターンは、図示するような完全なクロスハッチパターンとするほか、その一部を欠落させたパターンとしてもよい。
【００３２】
このラベル３０は、ミシン目２１ｄにより基材層２１を機械的に脆弱にし、外的な引っ張り力などの力により容易にミシン目２１ｄで基材層２１が破断する効果を加えたものである。すなわち、引っ張りによる不正な剥離を抑止することにも対応している。
【００３３】
次に、図６は、本発明のさらに別の実施形態に係るラベルを示す平面図である。断面図は、図１と同様になるので省略する。また、すでに説明した構成要素と同じまたは対応するものには同一符号を付している。
【００３４】
このラベル３５は、図４に示したラベル２５の構成を基本として、さらに、基材層２６にミシン目２６ｄを設けたものである。すなわち、この実施形態は、図４に示した実施形態が有する効果と図５に示した実施形態が有する効果とを持ち合わせている。これにより、このラベル３５は、薬品使用、薄片使用、引き剥がしのいずれの不正剥離にも対策が取れている。
【００３５】
以上本発明の実施形態に係るラベルについて述べたが、次に、本発明の実施形態に係るシート状非接触データキャリアについて説明する。図７は、本発明の一実施形態に係るシート状非接触データキャリアを示す平面図（図７（ａ））および断面図（図７（ｂ））である。ここで、図７（ｂ）は、図７（ａ）中のＢ−Ｂａ位置における矢視方向断面を示す。このシート状非接触データキャリア５０は、図７（ａ）、（ｂ）に示すように、シート状絶縁基材５１、アンテナパターン５２、ＩＣチップ５３、粘着材層５４、保護膜５５を有し、シート状絶縁基材５１、保護層５５には、切れ目５１ａが形成されている。
【００３６】
シート状絶縁基材５１は、導電性材質のアンテナパターン５２を層状に備えており、さらに、このアンテナパターン５２に接続してデータを格納可能なＩＣチップ５３をその表面上に備えている。シート状絶縁基材５１の材質は、可撓性を有する例えばＰＥＴやＰＩとすることができ、アンテナパターン５２の材質は、廉価性、加工性から例えば銅あるいはアルミニウムとすることができる。シート状絶縁基材５１の厚さは、例えば１０μｍから２００μｍ（より具体的には例えば４０μｍ程度）、アンテナパターン５２の厚さは、例えば８μｍから１００μｍである。
【００３７】
シート状絶縁基材５１上のアンテナパターン５２は、平面的にループを重ねた渦巻状に形成され、その外縁端５２ａ、内周端５２ｂではシート状絶縁基材５１を貫通する縦方向導電体に接続している。そして、これらの縦方向導電体はシート状絶縁基材５１の裏面側のパターンにより電気的導通している。縦方向導電体としては、図示するような基材５１のスルーホールを充填する形状のもの（例えば銅を用いこれをめっきして形成する）や、基材５１の両面に形成された表裏導電パターンをかしめて基材５１に圧入し導通させたもの（例えばアルミニウムの表裏パターンの場合）などを例示できる。なお、シート状絶縁基材５１は、アンテナパターン５２の主たる側が設けられた面が、図７において上側面であっても下側面であってもよい（図７では上側面である）。
【００３８】
シート状絶縁基材５１においてアンテナパターン５２の例えば内周側では、その一部が不連続にされ、その不連続部の間に接続して、データを格納するためのＩＣチップ５３が実装されている。つまり、ＩＣチップ５３の一方の端子（不図示）からアンテナパターン５２を辿ってＩＣチップ５３の他方の端子（不図示）に至る電気的経路が形成される。ＩＣチップ５３のアンテナパターン５２への実装は、例えばフリップチップ接続によりなすことができる。なお、図示していないが、アンテナパターン５２のほかにチップキャパシタやチップインダクタを実装するためのパターンを設け、所望のアンテナ特性を得るためこのパターンを利用して適宜これらのチップを実装するようにしてもよい。
【００３９】
ＩＣチップ５３は、その内部構成として、データを格納するメモリ部と、アンテナへの外部からの電波の照射およびその情報に反応してメモリの内容をアンテナを介して外部に出力する制御部とを有する。制御部は、上記の両端子（不図示）を介して上記のアンテナパターン５２に接続されている。
【００４０】
シート状絶縁基材５１の片面（一方の主面。この実施形態ではアンテナパターン５２の主たるパターンのない側の面）には、このシート状非接触データキャリア５０を物品に貼り付けるための粘着材層５４が設けられている。粘着材層５４の厚さは、例えば１０μｍから１００μｍ（より具体的には例えば３０μｍ程度）とすることができる。シート状絶縁基材５１の別の片面（他方の主面）は、例えば透明の保護膜５５（厚さは例えば１０μｍから１２０μｍ（より具体的には例えば２５μｍ程度））で覆われアンテナパターン５２、ＩＣチップ５３等がむき出しになるのを防止している。
【００４１】
さらに、シート状絶縁基材５１には、保護膜５５を含んで両主面間を貫通する切れ目５１ａが形成されている。切れ目５１ａは、シート状絶縁基材５１の外縁には達せず、かつ、アンテナパターン５２の形成位置に干渉しない位置に設けられている。切れ目５１ａの位置がアンテナパターン５２の形成位置と干渉するとアンテナとして切断されてしまうためである。より具体的には、この実施形態では、切れ目５１ａを、シート状絶縁基材５１において、アンテナパターン５２より外縁の側に周回近い形状で設けている。周回近い形状により、不正な剥離が外縁のどの地点から行われた場合にも一定した効果を得る利点がある。
【００４２】
このシート状非接触データキャリア５０は、物品に貼り付けられた状態において次の効果を有する。すなわち、シート状絶縁基材５１に切れ目５１ａがあるので、シート状非接触データキャリア５０の、切れ目５１ａ等が現れていない外縁をわずかに剥離し、その状態から薬品を用い粘着材層５４を変質しつつ剥がし進めようとしたとき、剥がれが切れ目５１ａに達するとそこでそれ以上の剥離が一旦遮断される。したがって、さらに剥がそうとする場合には再度同じように初期の剥離工作をする必要があり、不正に剥がされるのをより抑止できる。
【００４３】
次に、図８は、本発明の別の実施形態に係るシート状非接触データキャリアを示す平面図である。なお、断面図は図７と同様になるので省略する。図８において、すでに説明した構成要素と同じまたは対応するものには同一符号を付し、その説明は省略する。このシート状非接触データキャリア６０は、図示するように、シート状絶縁基材６１（図示しない保護膜を含む）に切れ目６１ａが形成され、切れ目６１ａが鎖線状または破線状になっている（不連続部６１ｃを有する）。さらに、切れ目６１ａがある程度の幅を有する。不連続部６１ｃの効用は、すでに述べた図２を参照する説明と同様である。切れ目６１ａの位置については、図７に示した実施形態における切れ目５１ａと同じである。
【００４４】
このシート状非接触データキャリア６０では、粘着材層に薬品が適用されて剥がし進められる場合だけでなく、薄片がシート状非接触データキャリア６０の下に挿入されて剥がし進められる場合も想定して対策している。すなわち、切れ目６１ａに幅があるので、薄片がシート状非接触データキャリア６０の外縁の側から挿入された場合に、切れ目６１ａでそれ以上の挿入を幅のない切れ目の場合より確実に遮断することができる。したがって、不正な剥離をより抑止できる。
【００４５】
次に、図９は、本発明のさらに別の実施形態に係るシート状非接触データキャリアを示す平面図である。断面図は、図７と同様になるので省略する。また、すでに説明した構成要素と同じまたは対応するものには同一符号を付し、その説明は省略する。
【００４６】
このシート状非接触データキャリア７０は、図７に示したシート状非接触データキャリア５０の構成を基本として、さらに、シート状絶縁基材５１（アンテナパターン５２および図示しない保護膜を含む）にミシン目５１ｄを形成したものである。ただし、切れ目５１ａには、貼り付け作業時のしわ、ずれ、折れ曲がりなどを防止するため不連続部５１ｃを設けている。
【００４７】
ミシン目５１ｄは、カット部とアンカット部とが交互に連なる易破断性部位であり、カット部／アンカット部の各長さは、例えば０．２５ｍｍ／０．１５ｍｍ、あるいは０．３５ｍｍ／０．１５ｍｍなどとすることができる。カット部はシート状絶縁基材５１（アンテナパターン５２および保護膜を含む）の両主面間を貫通している。ミシン目５１ｄの形成パターンは、図示するような完全なクロスハッチパターンとするほか、その一部を欠落させたパターンとしてもよい。なお、ミシン目５１ｄは、アンテナパターン５２をも貫通しているが、カット部／アンカット部の繰り返しピッチがアンテナパターン５２の幅に比して数分の１程度に小さいため、アンテナパターン５２を電気的に切断してはいない。
【００４８】
このシート状非接触データキャリア７０は、ミシン目５１ｄによりシート状絶縁基材５１を機械的に脆弱にし、外的な引っ張り力などの力により容易にミシン目５１ｄでシート状絶縁基材５１が破断する効果を加えたものである。すなわち、引っ張りによる不正な剥離を抑止することにも対応している。
【００４９】
次に、図１０は、本発明のさらに別の実施形態に係るシート状非接触データキャリアを示す平面図である。断面図は、図７等から容易に推考できるので省略する。また、すでに説明した構成要素と同じまたは対応するものには同一符号を付し、その説明は省略する。
【００５０】
このシート状非接触データキャリア８０は、すでに説明した切れ目５１ａのほかに、アンテナパターン８２の並行するパターンの間に切れ目５１ｅを、さらにアンテナパターン８２によるループに囲まれた領域に切れ目５１ｆを設けている。なお、アンテナパターン８２が、外縁端８２ａ、内周端８２ｂを介して電気的につながりＩＣチップ５３に終端している点は図７に示した実施形態と同じである。
【００５１】
シート状絶縁基材５１の外縁から見て多重的に切れ目５１ａ、５１ｅ、５１ｆを設けることにより、不正剥離を抑止する効果を増すことができる。すなわち、シート状絶縁基材５１の外縁をわずかに剥離し、その状態から薬品を用い粘着材層を変質しつつ剥がし進めようとしたとき、剥がれが切れ目５１ａ、５１ｅ、５１ｆに達するたびにそこでそれ以上の剥離が一旦遮断される。したがって、そのたびに再度同じように初期の剥離工作をする必要があり、不正に剥がされるのをより抑止できる。
【００５２】
次に、図１１は、本発明のさらに別の実施形態に係るシート状非接触データキャリアを示す平面図である。断面図は、図７等から容易に推考できるので省略する。また、すでに説明した構成要素と同じまたは対応するものには同一符号を付し、その説明は省略する。
【００５３】
このシート状非接触データキャリア９０は、図９に示したシート状非接触データキャリア７０の構成を基本として、さらに断線検出パターン９２を設けている点がそれと異なる。断線検出パターン９２は、不連続部９１ｃを有する鎖線状または破線状の切れ目９１ａの位置を避けて、切れ目９１ａよりシート状絶縁基材９１における外縁側に設けられている。ミシン目９１ｄは、断線検出パターン９２をも貫通しているが、カット部／アンカット部の繰り返しピッチが断線検出パターン９２の幅に比して数分の１程度に小さいため、断線検出パターン９２を電気的に切断してはいない。
【００５４】
断線検出パターン９２は、シート状絶縁基材９１の図１１における上側面に設けられ、その周回の両端はＩＣチップ５３Ａに接続されている。ＩＣチップ５３Ａは、この接続により、断線検出パターン９２に断線があるか否かを検出する機能を有する。ＩＣチップ５３Ａに、もとより図７等で説明のとおりの、アンテナパターン５２Ａを用いた通信機能がある点は同じである。アンテナパターン５２Ａは、シート状絶縁基材９１の図１１における下面側にその主たる部分が形成されており、その外縁端５２Ａａ、内周端５２Ａｂで縦方向導電体によりそれぞれシート状絶縁基材９１の上面側に導通し、さらに上面側のパターンによりＩＣチップ５３Ａに接続している。以上のような上面、下面でのパターン形成によりアンテナパターン５２Ａと断線検出パターン９２とを電気的に分離できる。
【００５５】
このシート状非接触データキャリア９０は、ミシン目９１ｄによりシート状絶縁基材９１を機械的に脆弱にし、外的な引っ張り力などの力により容易にミシン目９１ｄでシート状絶縁基材９１が破断する効果を加えたものである。すなわち、引っ張りによる不正な剥離を抑止することにも対応している。そして、ミシン目９１ｄでシート状絶縁基材５１が破断されると断線検出パターン９２が断線状態になるが、切れ目９１ａで剥離が遮断されればアンテナパターン５２Ａは健全であることから、これとＩＣチップ５３Ａを用いた通信機能により断線検出パターン９２の電気的な開放状態を検出することができる。したがって、本実施形態は、シート状非接触データキャリア９０に対して不正な工作をしたまたは試みたことを目視ではなく電気的に見分けることができる。
【００５６】
次に、図１２は、本発明のさらに別の実施形態に係るシート状非接触データキャリアを示す平面図である。断面図は、図７等から容易に推考できるので省略する。また、すでに説明した構成要素と同じまたは対応するものには同一符号を付し、その説明は省略する。
【００５７】
このシート状非接触データキャリア１００は、図１１に示したものと同様にミシン目を有しているがミシン目９１ｄｄの形成領域を、切れ目９１ａを境にほぼその外側に限るようにしている。これによれば、アンテナパターン５２Ａの部分のミシン目９１ｄｄによる破断は起こらないので、アンテナパターン５２Ａの部分を利用する電気的な不正の発見の機能をより保全できる。
【図面の簡単な説明】
【００５８】
【図１】本発明の一実施形態に係るラベルを示す平面図および断面図。
【図２】本発明の別の実施形態に係るラベルを示す平面図。
【図３】本発明のさらに別の実施形態に係るラベルを示す平面図。
【図４】本発明のさらに別の（第４の）実施形態に係るラベルを示す平面図。
【図５】本発明のさらに別の（第５の）実施形態に係るラベルを示す平面図。
【図６】本発明のさらに別の（第６の）実施形態に係るラベルを示す平面図。
【図７】本発明の一実施形態に係るシート状非接触データキャリアを示す平面図および断面図。
【図８】本発明の別の実施形態に係るシート状非接触データキャリアを示す平面図。
【図９】本発明のさらに別の実施形態に係るシート状非接触データキャリアを示す平面図。
【図１０】本発明のさらに別の（第４の）実施形態に係るシート状非接触データキャリアを示す平面図。
【図１１】本発明のさらに別の（第５の）実施形態に係るシート状非接触データキャリアを示す平面図。
【図１２】本発明のさらに別の（第６の）実施形態に係るシート状非接触データキャリアを示す平面図。
【符号の説明】
【００５９】
１０，１５，２０，２５，３０，３５…ラベル、１１，２１，２６…基材層、１１ａ，１１ｂ，１１ｃ，１１ｄ，１１ｅ，１１ｆ，１６ａ，１６ｂ，２１ａ…切れ目、１２…粘着材層、１６ｃ，２１ｃ…切れ目の不連続部、２１ｄ，２６ｄ…ミシン目、２６ａ…幅のある切れ目、２６ｃ…幅のある切れ目の不連続部、５０，６０，７０，８０，９０，１００…シート状非接触データキャリア、５１，６１，８１，９１…シート状絶縁基材、５１ａ，５１ｅ，５１ｆ，９１ａ…切れ目、５１ｃ，９１ｃ…切れ目の不連続部、５１ｄ，９１ｄ，９１ｄｄ…ミシン目、５２，５２Ａ，８２…アンテナパターン、５２ａ，５２Ａａ，８２ａ…アンテナパターンの外縁端、５２ｂ，５２Ａｂ，８２ｂ…アンテナパターンの内周端、５３，５３Ａ…ＩＣチップ、５４…粘着材層、５５…保護膜、６１ａ…幅のある切れ目、６１ｃ…幅のある切れ目の不連続部、９２…断線検出パターン。
【図１】
0005092789.tif 000002
【図２】
0005092789.tif 000003
【図３】
0005092789.tif 000004
【図４】
0005092789.tif 000005
【図５】
0005092789.tif 000006
【図６】
0005092789.tif 000007
【図７】
0005092789.tif 000008
【図８】
0005092789.tif 000009
【図９】
0005092789.tif 000010
【図１０】
0005092789.tif 000011
【図１１】
0005092789.tif 000012
【図１２】
0005092789.tif 000013